(57)【特許請求の範囲】
【請求項１】
流入口から導入した水を外かごの外部から内部に導入し、ろ過剤にてろ過した後、浄水を内かごの内部を経て流出口から導出する浄水カートリッジであって、
外かごの筒状の胴部の一方の開口側に流出口が形成されたカートリッジ蓋が一体的に成形され、筒状の胴部内に有底筒状の内かごを配設し、カートリッジ蓋に内かごの口縁部が一連に形成されて外かごの胴部内に内かごをインサート成形し、外かごの胴部と内かごとの間に活性炭をろ過剤として収容し、外かごの胴部の開口部にかご蓋を封止して付設し、外かごの胴部及び底部を有底筒状の外部ケースにて覆い、外部ケースの口縁部にカートリッジ蓋を封止して接続し、外部ケースの底部に流入口を形成して成ることを特徴とする浄水カートリッジ。
【請求項２】
流入口から導入した水を外かごの外部から内部に導入し、ろ過剤にてろ過した後、浄水を内かごの内部を経て流出口から導出する浄水カートリッジであって、
外かごの筒状の胴部の一方の開口側に流出口が形成されたカートリッジ蓋が一体的に成形され、筒状の胴部内に有底筒状の内かごを配設し、内かご、カートリッジ蓋及び外かごの胴部を同一金型にて同時に成形して内かご、カートリッジ蓋及び外かごの胴部が一連に形成され、外かごの胴部と内かごとの間に活性炭をろ過剤として収容し、外かごの胴部の開口部にかご蓋を封止して付設し、外かごの胴部及び底部を有底筒状の外部ケースにて覆い、外部ケースの口縁部にカートリッジ蓋を封止して接続し、外部ケースの底部に流入口を形成して成ることを特徴とする浄水カートリッジ。
【発明の詳細な説明】
【０００１】
【発明の属する技術分野】
本発明は、外かごと内かごとの間にろ過剤を収容した浄水カートリッジに関し、詳しくは、組立て性を高めながら、外かごと内かごとを接合する箇所等から浄化されていない水が漏洩して吐水されるのを確実に防止しようとする技術に係るものである。
【０００２】
【従来の技術】
従来、図４に示すように、網Ｎを備えた外かご１ａ内に網Ｎを備えた内かご２ａを配設し、外かご１ａと内かご２ａとの間に活性炭のようなろ過剤３を収容し、外かご１ａの外部を外部ケース４ａにて覆って封止し、流入口５から導入した水を外かご１ａの外部から内部に導入し、ろ過剤３にてろ過した後、浄水を内かご２ａの内部を経て流出口６から導出する浄水カートリッジにおいては、外かご１ａの端部を活性炭押さえ７ａと不織布８ａ及びかご蓋９ａを被せ、更に、活性炭カートリッジ蓋１０ａを被せて外部ケース４ａに組付けるのである。この場合、外部ケース４ａとカートリッジ蓋１０ａとを超音波熱溶着するのである。
【０００３】
【発明が解決しようとする課題】
更に、従来の構成においては、図４に示すように、内かご２ａの先端部２ｂを外かご１ａに形成した有底の筒状の受部１ｂに嵌入するとともに、反対側において、内かご２ａの筒状の突出部２ｃとかご蓋９ａとの間に第１のＯリングａを、かご蓋９ａと外かご１ａとの間に第２のＯリングｂ、更に、かご蓋９ａとカートリッジ蓋１０ａとの間に第３のＯリングｃを介して水密的なシールを図るものである。
【０００４】
ところで、このような構成において、ろ過剤３としての活性炭を内外かご２ａ，１ａ間に充填した後、かご蓋９ａを被せる場合に、内かご２ａの先端部２ｂと外かご１ａの筒状の受部１ｂとの嵌合状態が不安定となり、このため、第１乃至第３のＯリングａ，ｂ，ｃの潰し度合を適正になしにくくなるものである。
【０００５】
更に、外部ケース４ａとカートリッジ蓋１０ａとを超音波熱溶着する際においても、第２のＯリングｂの潰し度合を適正になしにくくなるものである。
【０００６】
このように、従来の浄水カートリッジにおいては、第１乃至第３のＯリングａ，ｂ，ｃにおける水密シール性を安定化させることができず、これらの箇所において漏洩が生じやすく、流入水の一部が活性炭を通過することなく、外かご１ａと外部ケース４ａとの間からカートリッジ蓋１０ａの内面を経て流出口６へと直接流れる漏洩が発生するという問題があった。更に、従来の浄水カートリッジにおいては、上述のような組立てとなることから、組立て性も大きく低下することになるのである。
【０００７】
本発明はこのような問題に鑑みてなされたものであり、組立て性を高めながら、外かごと内かごとを接合する箇所等から浄化されていない水が漏洩するのを確実に防止ことができ、品質の高い浄水カートリッジを提供することを課題とするものである。
【０００８】
【課題を解決するための手段】
請求項１においては、流入口５から導入した水を外かご１の外部から内部に導入し、ろ過剤３にてろ過した後、浄水を内かご２の内部を経て流出口６から導出する浄水カートリッジであって、外かご１の筒状の胴部の一方の開口側に流出口６が形成されたカートリッジ蓋１０が一体的に成形され、筒状の胴部内に有底筒状の内かご２を配設し、カートリッジ蓋１０に内かご２の口縁部が一連に形成されて外かご１の胴部内に内かご２をインサート成形し、外かご１の胴部と内かご２との間に活性炭をろ過剤３として収容し、外かご１の胴部の開口部にかご蓋９を封止して付設し、外かご１の胴部及び底部を有底筒状の外部ケース４にて覆い、外部ケース４の口縁部にカートリッジ蓋１０を封止して接続し、外部ケース４の底部に流入口５を形成して成ることを特徴とするものである。このような構成によれば、インサート成形によって外かご１の胴部とカートリッジ蓋１０と内かご２とは一体化されていることから、従来のように、外かご１と内かご２との間にＯリングのようなシール構造を設けなくてもよく、外かご１の胴部とカートリッジ蓋１０と内かご２との接合箇所等からの漏洩を確実に防止する。
【０００９】
請求項２においては、流入口５から導入した水を外かご１の外部から内部に導入し、ろ過剤３にてろ過した後、浄水を内かご２の内部を経て流出口６から導出する浄水カートリッジであって、外かご１の筒状の胴部の一方の開口側に流出口６が形成されたカートリッジ蓋１０が一体的に成形され、筒状の胴部内に有底筒状の内かご２を配設し、内かご２、カートリッジ蓋１０及び外かご１の胴部を同一金型にて同時に成形して内かご２、カートリッジ蓋１０及び外かご１の胴部が一連に形成され、外かご１の胴部と内かご２との間に活性炭をろ過剤３として収容し、外かご１の胴部の開口部にかご蓋９を封止して付設し、外かご１の胴部及び底部を有底筒状の外部ケース４にて覆い、外部ケース４の口縁部にカートリッジ蓋１０を封止して接続し、外部ケース４の底部に流入口５を形成していることを特徴とするものである。このような構成によれば、同時成形によって外かご１の胴部とカートリッジ蓋１０と内かご２とは一体化されていることから、従来のように、外かご１と内かご２との間にＯリングのようなシール構造を設けなくてよく、外かご１の胴部とカートリッジ蓋１０と内かご２との接合箇所等からの漏洩を確実に防止する。しかも、外かご１の胴部とカートリッジ蓋１０と内かご２とは同一金型で成形できて金型は１面でよい。
【００１０】
【発明の実施の形態】
以下、本発明の実施の形態を説明する。図１は断面図、図２は浄水器の系統図である。
【００１１】
本発明の浄水カートリッジＡは、浄水器１１の内部に組み込まれていて、切替えレバー１２の切替えによって水道水をろ過剤（活性炭）３を内蔵した浄水カートリッジＡに導入して一次ろ過をおこない、次に、中空糸膜をろ剤とするカートリッジ１３に導入して二次ろ過をおこない、更に、カルシウムケース１４を通過してイオン水生成装置１５に給水され、イオン水生成装置１５における陰極１６を備えた陰極室１８、及び陽極１７を備えた陽極室１９とにおいて生成されたアルカリイオン水をイオン水パイプ２０より吐水するとともに酸性イオン水を排水パイプ２８より排水することができるようにしている。符号２２は流量センサーである。以下、浄水カートリッジＡを詳述する。
【００１２】
内かご２は、網Ｎを接合させて内外に通水が可能な有底筒状の樹脂成形品であって、開口側の端部には小径と大径のフランジ２３，２４を形成してフランジ２３，２４間に連結溝２５を形成している。外かご１の胴部は、網Ｎを接合させて内外に通水が可能で両端が開口した筒状の樹脂成形品であり、筒状の胴部の一方の開口部に流出口６を形成したカートリッジ蓋１０が一体的に成形されていて、流出口６の内端部には連結フランジ２６が形成されている。
【００１３】
外かご１の胴部の内部に内かご２を配設するように、内かご２が外かご１の胴部の内部にインサート成形されている。具体的には、成形されている内かご２の連結溝２５が外かご１の胴部に一体的に成形されているカートリッジ蓋１０の連結フランジ２６に結合する位置に配設するようにして内かご２が外かご１の胴部の内部にインサート成形されるのである。
【００１４】
このようにインサート成形された外かご１の胴部と内かご２との間にろ過剤３としての活性炭が充填されるのであり、活性炭押さえ７、不織布８を介してかご蓋９を被せるのである。かご蓋９は外かご１の胴部の内面に嵌入されて接続箇所イにおいて超音波溶着されてシールを図っている。このようにして有底筒状の外かご１が構成されるのである。
【００１５】
最後に、外部ケース４が不織布２７を介して外かご１の外部に挿通されて外かご１の胴部と一体化されているカートリッジ蓋１０に凹凸嵌合するとともにこの箇所ロにおいて超音波溶着されてシールを図っている。
【００１６】
このように、外かご１の胴部にカートリッジ蓋１０が一連に成形され、カートリッジ蓋１０の流出口６の口縁部に内かご２をインサート成形して一体化していることから、インサート成形によって外かご１と内かご２とは一体化されて従来のように、外かご１の胴部とカートリッジ蓋１０と内かご２との間にＯリングのようなシール構造を設けなくてもよくなるのであり、組立て性を高めながら、外かご１の胴部とカートリッジ蓋１０と内かご２との接合箇所等からの漏洩を確実に防止することができ、浄水カートリッジＡの品質を高めることができるのである。
【００１７】
図３は他の実施の形態を示し、但し、本実施の形態の基本構成は上記実施の形態と共通であり、共通する部分には同一の符号を付して説明は省略する。
【００１８】
本実施の形態においては、外かご１の胴部とカートリッジ蓋１０と内かご２を同一金型にて一体的に同時に成形したものである。
【００１９】
本実施の形態においては、同時成形によって外かご１の胴部とカートリッジ蓋１０と内かご２とは一体化されて、外かご１の胴部とカートリッジ蓋１０と内かご２との間にＯリングのようなシール構造を設けなくてもよくなるのであり、組立て性を高めながら、外かご１の胴部とカートリッジ蓋１０と内かご２との接合箇所等からの漏洩を確実に防止することができ、浄水カートリッジＡの品質を高めることができ、しかも、外かご１の胴部とカートリッジ蓋１０と内かご２とは同一金型で成形できて金型は１面でよく、生産性を高めることができるものである。
【００２０】
【発明の効果】
請求項１においては、流入口から導入した水を外かごの外部から内部に導入し、ろ過剤にてろ過した後、浄水を内かごの内部を経て流出口から導出する浄水カートリッジであって、外かごの筒状の胴部の一方の開口側に流出口が形成されたカートリッジ蓋が一体的に成形され、筒状の胴部内に有底筒状の内かごを配設し、カートリッジ蓋に内かごの口縁部が一連に形成されて外かごの胴部内に内かごをインサート成形し、外かごの胴部と内かごとの間に活性炭をろ過剤として収容し、外かごの胴部の開口部にかご蓋を封止して付設し、外かごの胴部及び底部を有底筒状の外部ケースにて覆い、外部ケースの口縁部にカートリッジ蓋を封止して接続し、外部ケースの底部に流入口を形成しているから、インサート成形によって外かごの胴部とカートリッジ蓋と内かごとは一体化されて従来のように、外かごの胴部とカートリッジ蓋と内かごとの間にＯリングのようなシール構造を設けなくてもよくなるのであり、組立て性を高めながら、外かごの胴部とカートリッジ蓋と内かごとの接合箇所等からの漏洩を確実に防止することができ、浄水カートリッジの品質を高めることができるという利点がある。
【００２１】
請求項２においては、流入口から導入した水を外かごの外部から内部に導入し、ろ過剤にてろ過した後、浄水を内かごの内部を経て流出口から導出する浄水カートリッジであって、外かごの筒状の胴部の一方の開口側に流出口が形成されたカートリッジ蓋が一体的に成形され、筒状の胴部内に有底筒状の内かごを配設し、内かご、カートリッジ蓋及び外かごの胴部を同一金型にて同時に成形して内かご、カートリッジ蓋及び外かごの胴部が一連に形成され、外かごの胴部と内かごとの間に活性炭をろ過剤として収容し、外かごの胴部の開口部にかご蓋を封止して付設し、外かごの胴部及び底部を有底筒状の外部ケースにて覆い、外部ケースの口縁部にカートリッジ蓋を封止して接続し、外部ケースの底部に流入口を形成しているから、同時成形によって外かごの胴部とカートリッジ蓋と内かごとは一体化されて従来のように、外かごの胴部とカートリッジ蓋と内かごとの間にＯリングのようなシール構造を設けなくてもよくなるのであり、組立て性を高めながら、外かごの胴部とカートリッジ蓋と内かごとの接合箇所等からの漏洩を確実に防止することができ、浄水カートリッジの品質を高めることができ、しかも、外かごの胴部とカートリッジ蓋と内かごとは同一金型で成形できて金型は一面でよく、生産性を高めることができるという利点がある。
【図面の簡単な説明】
【図１】本発明の実施の一形態を示す断面図である。
【図２】同上の浄水器の系統図である。
【図３】同上の他の実施の形態を示す断面図である。
【図４】従来例の断面図である。
【符号の説明】
１  外かご
２  内かご
３  ろ過剤
４  外部ケース
５  流入口
６  流出口
【図１】
0003733818.tif 000002
【図２】
0003733818.tif 000003
【図３】
0003733818.tif 000004
【図４】
0003733818.tif 000005